(57)【要約】  移動局装置と基地局装置との間で無線通信を行う無線通信システムにおいて、前記基地局装置は、複数の分割された帯域幅の各周波数帯域が前記基地局装置に割り当てられ、前記各周波数帯域を結合し、結合した周波数帯域において共通チャネルを送信するための周波数帯域を１つ割り当てる制御部と、前記割り当てられた周波数帯域で前記共通チャネルを送信する送信部と、前記移動局装置は、前記共通チャネルを受信する受信部とを備える。
2010134133.tif 000002
【特許請求の範囲】
【請求項１】
移動局装置と基地局装置との間で無線通信を行う無線通信システムにおいて、
前記基地局装置は、
複数の分割された帯域幅の各周波数帯域が前記基地局装置に割り当てられ、前記各周波数帯域を結合し、結合した周波数帯域において共通チャネルを送信するための周波数帯域を１つ割り当てる制御部と、
前記割り当てられた周波数帯域で前記共通チャネルを送信する送信部と、
前記移動局装置は、
前記共通チャネルを受信する受信部と
を備えることを特徴とする無線通信システム。
【請求項２】
前記移動局装置は、さらに、
前記共通チャネルを受信したとき前記基地局装置との通信品質を測定する制御部と、
前記測定した通信品質を前記基地局装置に送信する送信部とを備え、
前記基地局装置の前記制御部は、前記移動局装置から受信した前記通信品質に基づいて、前記移動局装置への割り当て周波数帯域を決定することを特徴とする請求項１記載の無線通信システム。
【請求項３】
前記制御部は、前記結合した周波数帯域に関する周波数結合情報を含む報知情報を生成し、
前記送信部は、前記共通チャネルを送信するための周波数帯域により前記報知情報を前記移動局装置に送信する、ことを特徴とする請求項１記載の無線通信システム。
【請求項４】
前記制御部は、前記結合した周波数帯域の各周波数帯域に対して送信電力量を指定し、
前記送信部は、前記指定された送信電力量に基づいて、各周波数帯域により情報またはデータを前記移動局装置に送信する、ことを特徴とする請求項１記載の無線通信システム。
【請求項５】
前記制御部は、ＭＶＮＯサービスを実行する場合、前記結合した周波数帯域を分割し、前記分割された周波数帯域毎に前記共通チャネルを割り当てる、ことを特徴とする請求項１記載の無線通信システム。
【請求項６】
前記移動局装置の制御部は、前記結合した周波数帯域ごとに前記通信品質を測定し、
前記移動局装置の送信部は、前記結合した周波数帯域ごとの前記通信品質を送信することを特徴とする請求項２記載の無線通信システム。
【請求項７】
前記周波数結合情報には、前記結合した周波数帯域における周波数帯域毎に前記共通チャネルを送信するための周波数帯域が設定されているか否かを示すフラグ情報を含むことを特徴とする請求項３記載の無線通信システム。
【請求項８】
前記周波数結合情報には、前記分割された周波数帯域が結合されているか否かを示すフラグ情報と、前記周波数帯域の結合数を示す情報と、前記結合された周波数帯域の帯域幅を示す情報と、品質情報を前記基地局装置にフィードバックするか否かを示す情報とを含むことを特徴とする請求項７記載の無線通信システム。
【請求項９】
移動局装置と、
前記移動局装置と無線通信を行う基地局装置と、
前記基地局装置に接続された上位装置とを含む無線通信システムにおいて、
前記上位装置は、
複数の分割された帯域幅の各周波数帯域が前記基地局装置に割り当てられ、前記各周波数帯域を結合し、結合した周波数帯域において共通チャネルを送信するための周波数帯域を１つ割り当て、前記結合した周波数帯域に関する周波数結合情報を生成する制御部と、
前記周波数結合情報を前記基地局装置に送信する送信部と、
前記基地局装置は、
前記周波数結合情報を前記上位装置から受信し、前記周波数結合情報に基づいて、前記共通チャネルを前記移動局装置に送信する送信部を備え、
前記移動局装置は、
前記共通チャネルを受信する受信部と
を備えることを特徴とする無線通信システム。
【請求項１０】
移動局装置と無線通信を行う基地局装置において、
複数の分割された帯域幅の各周波数帯域が前記基地局装置に割り当てられ、前記各周波数帯域を結合し、結合した周波数帯域において共通チャネルを送信するための周波数帯域を１つ割り当てる制御部と、
前記割り当てられた周波数帯域で前記共通チャネルを前記移動局装置に送信する送信部と
を備えることを特徴とする基地局装置。
【請求項１１】
上位装置と接続され、移動局装置と無線通信を行う基地局装置において、  
複数の分割された帯域幅の各周波数帯域が前記基地局装置に割り当てられ、前記各周波数帯域が結合され、結合された周波数帯域において共通チャネルを送信するための周波数帯域が１つ割り当てられ、前記結合した周波数帯域に関する周波数結合情報を前記上位装置から受信する受信部と、
前記周波数結合情報に基づいて、前記共通チャネルを前記移動局装置に送信する送信部と
を備えることを特徴とする基地局装置。
【請求項１２】
基地局装置と無線通信を行う移動局装置において、
複数の分割された帯域幅の各周波数帯域が前記基地局装置に割り当てられ、前記各周波数帯域が結合され、結合された周波数帯域において共通チャネルを送信するための周波数帯域が１つ割り当てられ、前記割り当てられた周波数帯域で送信された前記共通チャネルを受信する受信部、
を備えることを特徴とする移動局装置。
【請求項１３】
上位装置と接続された基地局装置と無線通信を行う移動局装置において、
複数の分割された帯域幅の各周波数帯域が前記基地局装置に割り当てられ、前記各周波数帯域が結合され、結合された周波数帯域において共通チャネルを送信するための周波数帯域が１つ割り当てられ、前記結合した周波数帯域に関する周波数結合情報を前記上位装置から受信した基地局装置により、前記共通チャネルが送信され、送信された前記共通チャネルを受信する受信部
を備えることを特徴とする移動局装置。
【請求項１４】
移動局装置と基地局装置との間で無線通信を行う無線通信システムにおける無線通信方法であって、
前記基地局装置は、
複数の分割された帯域幅の各周波数帯域が前記基地局装置に割り当てられ、前記各周波数帯域を結合し、結合した周波数帯域において共通チャネルを送信するための周波数帯域を１つ割り当て、
前記割り当てられた周波数帯域で前記共通チャネルを送信し、
前記移動局装置は、
前記共通チャネルを受信する
ことを特徴とする無線通信方法。
【請求項１５】
移動局装置と、前記移動局装置と無線通信を行う基地局装置と、前記基地局装置に接続された上位装置とを含む無線通信システムにおける無線通信方法であって、
前記上位装置は、
複数の分割された帯域幅の各周波数帯域が前記基地局装置に割り当てられ、前記各周波数帯域を結合し、結合した周波数帯域において共通チャネルを送信するための周波数帯域を１つ割り当て、前記結合した周波数帯域に関する周波数結合情報を生成し、
前記周波数結合情報を前記基地局装置に送信し、
前記基地局装置は、
前記周波数結合情報を前記上位装置から受信し、前記周波数結合情報に基づいて、前記共通チャネルを前記移動局装置に送信し、
前記移動局装置は、
前記共通チャネルを受信する
ことを特徴とする無線通信方法。
【発明の詳細な説明】
【技術分野】
【０００１】
本発明は、無線通信システム、基地局装置、移動局装置、及び無線通信システムにおける無線通信方法に関する。
【背景技術】
【０００２】
従来から、ＯＦＤＭ（Orthogonal Frequency Division Multiplexing:直交波周波数分割多重方式）等を用いた無線通信システムがある。かかる無線通信システムにおいて、基地局装置は、割り当てられた周波数帯域を利用して移動局装置と無線通信を行う。割り当てられた周波数帯域内においては、共通制御チャネル（ＣＣＨ：Control
Channel）のための帯域が存在し、基地局装置は当該帯域を利用して報知情報等を送信する。また、基地局装置には、分割された複数の帯域幅の周波数帯域が割り当てられてもよい。この場合、共通制御チャネルは、各周波数帯域内に各々配置される（例えば、以下の非特許文献１〜５）。【０００３】
図１７（Ａ）〜図１７（Ｃ）は、基地局装置に割り当てられた周波数帯域の例を示す図である。図１７（Ａ）及び同図（Ｂ）に示すように、２０ＭＨｚ、１０ＭＨｚなどの周波数帯域内に共通制御チャネルのための帯域が存在する。また、図１７（Ｃ）に示すように、分割された複数の帯域幅の周波数帯域が基地局装置に割り当てられた場合、各帯域内にそれぞれ共通制御チャネルのための帯域が存在する。【０００４】
一方、昨今、ＭＶＮＯ（Mobile
Virtual Network Operator:仮想移動通信オペレータ）と呼ばれるサービス形態もある。基地局装置はシステム貸し出し側とシステム借用側の各事業者にシェアされ、借用側の事業者は設備投資費を削減することができる。【０００５】
なお、例えば、基地局は、周波数ブロックを管理する手段と、１以上のリソースブロックをチャネル状態の良い通信端末に割り当てるためのスケジューリング情報を周波数ブロック毎に決定する手段と、スケジューリング情報を含む制御チャネルを周波数ブロック毎に作成する手段と、制御チャネルをシステム周波数帯域内で周波数多重し、マルチキャリア方式で送信する手段とを有するものが開示される（例えば、以下の特許文献１）。  
【先行技術文献】
【特許文献】
【０００６】
【特許文献１】特開２００７‐２２１７５３号公報
【非特許文献】
【０００７】
【非特許文献１】3GPPTS 36.300
【非特許文献２】3GPPTS 36.331
【非特許文献３】3GPPTS 36.211
【非特許文献４】3GPPTS 36.212
【非特許文献５】3GPPTS 36.213
【発明の概要】
【発明が解決しようとする課題】
【０００８】
しかし、分割された複数の周波数帯域が基地局装置に割り当てられる場合、各帯域においてそれぞれ共通制御チャネルの帯域が存在し（例えば、図１７（Ｃ））、ユーザデータを送信するための周波数帯域はその分少なくなる。【０００９】
また、上述した特許文献１に記載されたものも、分割された各周波数ブロックに制御チャネルのための帯域が配置され、制御チャネルの帯域の分だけユーザデータを送信する周波数帯域が少なくなる。【００１０】
そこで、本発明の目的の一つは、ユーザデータを送信または受信するための周波数帯域を最大化できるようにした無線通信システム、基地局装置、移動局装置、及び無線通信システムにおける無線通信方法を提供することにある。
【課題を解決するための手段】
【００１１】
一態様によれば、移動局装置と基地局装置との間で無線通信を行う無線通信システムにおいて、前記基地局装置は、複数の分割された帯域幅の各周波数帯域が前記基地局装置に割り当てられ、前記各周波数帯域を結合し、結合した周波数帯域において共通チャネルを送信するための周波数帯域を１つ割り当てる制御部と、前記割り当てられた周波数帯域で前記共通チャネルを送信する送信部と、前記移動局装置は、前記共通チャネルを受信する受信部とを備える。【００１２】
また、他の態様によれば、移動局装置と、前記移動局装置と無線通信を行う基地局装置と、前記基地局装置に接続された上位装置とを含む無線通信システムにおいて、前記上位装置は、  複数の分割された帯域幅の各周波数帯域が前記基地局装置に割り当てられ、前記各周波数帯域を結合し、結合した周波数帯域において共通チャネルを送信するための周波数帯域を１つ割り当て、前記結合した周波数帯域に関する周波数結合情報を生成する制御部と、前記周波数結合情報を前記基地局装置に送信する送信部と、前記基地局装置は、前記周波数結合情報を前記上位装置から受信し、前記周波数結合情報に基づいて、前記共通チャネルを前記移動局装置に送信する送信部を備え、前記移動局装置は、前記共通チャネルを受信する受信部とを備える。
【発明の効果】
【００１３】
ユーザデータを送信するための周波数帯域を最大化できるようにした無線通信システム、基地局装置、移動局装置、及び無線通信システムにおける無線通信方法を提供することができる。
【図面の簡単な説明】
【００１４】
【図１】図１は無線通信システムの構成例を示す図である。
【図２】図２は基地局装置の構成例を示す図である。
【図３】図３は保守装置の構成例を示す図である。
【図４】図４は移動局装置の構成例を示す図である。
【図５】図５は無線通信システムの動作例を示すシーケンス図である。
【図６】図６は周波数結合情報の例を示す図である。
【図７】図７は周波数帯域の例を示す図である。
【図８】図８は送信電力値の例を示す図である。
【図９】図９は送信電力値の例を示す図である。
【図１０】図１０は移動局装置における動作例を示すフローチャートである。
【図１１】図１１は品質情報の例を示す図である。
【図１２】図１２はリソース割り当ての例を示す図である。
【図１３】図１３は無線通信システムにおける動作例を示すシーケンス図である。
【図１４】図１４はメッセージの例を示す図である。
【図１５】図１５（Ａ）は移動局装置、図１５（Ｂ）は基地局装置における動作例をそれぞれ示すフローチャートである。
【図１６】図１６（Ａ）は移動局装置、図１６（Ｂ）は基地局装置における動作例をそれぞれ占めすフローチャートである。
【図１７】図１７（Ａ）〜図１７（Ｃ）は共通制御チャネルが割り当てられる周波数帯域の例を示す図である。
【発明を実施するための形態】
【００１５】
本発明を実施するための形態について以下説明する。図１は無線通信システム１００の構成例を示す図である。無線通信システム１００は、基地局装置（ｅＮＢ:evolved NodeB）１０‐１，１０‐２と、移動局管理ノード（または移動局管理装置）（ＭＭＥ:Mobility
Management Entity）３０と、保守装置（ＯＰＥ）４０と、移動局装置（ＵＥ：User Equipment）５０とを備える。
【００１６】
基地局装置１０‐１，１０‐２は、移動局装置５０との間で無線通信を行う。基地局装置１０‐１，１０‐２は、例えば、報知情報を生成し当該報知情報を報知チャネル（ＢＣＣＨ：Broadcast Control Channel）により移動局装置５０に送信する。基地局装置１０‐１，１０‐２の詳細は後述する。
【００１７】
移動局管理ノード３０は、移動局装置５０の移動管理、位置登録等を行うためのノードであり、各基地局装置１０‐１，１０‐２と接続される。移動局管理ノード３０の詳細は後述する。
【００１８】
保守装置４０は、基地局装置１０‐１，１０‐２と移動局管理ノード３０とに接続され、基地局装置１０‐１，１０‐２等の保守に関する種々の処理を行う。
【００１９】
移動局装置５０は、各基地局装置１０‐１，１０‐２の通信可能範囲内において、基地局装置１０‐１，１０‐２との間で無線通信を行う。移動局装置５０の詳細は後述する。
【００２０】
図２は基地局装置１０の構成例を示す図である。基地局装置１０は、アンテナ１１と、屋外送受信増幅器１２と、屋外受信増幅器１３と、無線部（ＲＥ：Radio Equipment）１４と、無線制御部（ＲＥＣ：Radio
Equipment Control）１５とを備える。
【００２１】
アンテナ１１は基地局装置１０との間で無線信号を送受信する。
【００２２】
屋外送受信増幅器１２は、無線部１４からの無線信号を増幅してアンテナ１１に出力し、アンテナ１１で受信した無線信号を増幅して屋外受信増幅器１３に出力する。
【００２３】
屋外受信増幅器１３は、屋外送受信増幅器１２から出力された無線信号を増幅して無線部１４に出力する。
【００２４】
無線部１４は、送信増幅器１４１と、無線送受信部１４２と、インタフェース部１４３とを備える。
【００２５】
送信増幅器１４１は、無線送受信部１４２から出力された無線信号を増幅して屋外送受信増幅器１２に出力する。
【００２６】
無線送受信部１４２は、屋外受信増幅器１３から出力された無線信号に対して各種処理を施すことでベースバンド信号に変換し、インタフェース部１４３に出力する。また、無線送受信部１４２は、インタフェース部１４３から出力されたベースバンド信号に対して各種処理を施して無線信号に変換して送信増幅器１４１に出力する。
【００２７】
インタフェース部１４３は、無線送受信部１４２から出力されたベースバンド信号を、無線部１４と無線制御部１５との間の接続線に出力できるフォーマットの信号（例えば、光信号、電気信号など）に変換して出力する。また、インタフェース部１４３は、接続線から出力された信号をベースバンド信号に変換して無線送受信部１４２に出力する。
【００２８】
無線制御部１５は、インタフェース部１５１と、ベースバンド処理部１５２と、伝送路インタフェース部１５３と、呼処理制御部１５４とを備える。
【００２９】
インタフェース部１５１は、接続線から出力された信号をベースバンド信号に変換してベースバンド処理部１５２に出力する。また、インタフェース部１５１は、ベースバンド処理部１５２から出力されたベースバンド信号を接続線に出力できるフォーマットの信号に変換して出力する。
【００３０】
ベースバンド処理部１５２は、伝送路インタフェース部１５３から出力されたユーザデータに対して変調等の処理を行い、ベースバンド信号に変換してインタフェース部１５１に出力する。また、ベースバンド処理部１５２は、インタフェース部１５１から出力されたベースバンド信号に対して復調等の処理を行い、ユーザデータを取り出して伝送路インタフェース部１５３に出力する。
【００３１】
伝送路インタフェース部１５３は、上位装置（例えば、移動局管理ノード３０）との間でデータ、メッセージ等を送受信できるようにするためのインタフェースである。
【００３２】
呼処理制御部１５４は、移動局装置５０との間の無線チャネルの管理、上位装置との間の物理回線管理、各種品質管理等を行う。また、呼処理制御部１５４は、移動局装置５０から送信された品質情報等に基づいて、移動局装置５０への周波数等のリソース割り当てなどの処理を行う。さらに、呼処理制御部１５４は、例えば、上位装置からの周波数結合指示メッセージを受信すると周波数結合情報を生成し、ベースバンド処理部１５２に出力する。周波数結合情報の詳細は後述する。さらに、呼処理制御部１５４は、移動局装置５０に対する報知情報を生成し、ベースバンド処理部１５２に出力する。ベースバンド処理部１５２は、報知情報を変調等行い、例えばＢＣＣＨ（Broadcast Control Channel:報知制御チャネル）を利用して移動局装置５０に送信できるように処理を行う。例えば、周波数結合情報は報知情報に含まれ、移動局装置５０に送信される。
【００３３】
図３は移動局管理ノード３０の構成例を示す図である。移動局管理ノード３０は、保守監視部３１と、Ｃｏｎｔｅｘｔ管理制御部３２と、共通制御部３３と、呼処理制御部３４と、伝送路インタフェース制御部３５とを備える。
【００３４】
保守監視部３１は、移動局管理ノード３０の状態を監視し、例えば、基地局装置１０との回線の切断状況、移動局管理ノード３０が動作できない状態のとき警告等の処理を行う。
【００３５】
Ｃｏｎｔｅｘｔ管理制御部３２は、移動局装置５０の電話番号等、ユーザ識別情報を保持、管理する。
【００３６】
共通制御部３３は、移動局管理ノード３０全体を制御し、例えば、呼処理制御部３４等を介して入力した移動局装置５０から送信されたユーザデータを上位ネットワークに出力する。また、共通制御部３３は、上位ネットワークからのユーザデータを呼処理制御部３４、伝送路インタフェース制御部３５を介して基地局装置１０に送信する。
【００３７】
呼処理制御部３４は、移動局装置５０との呼接続を実行し、例えば、移動局装置５０とどのように接続するか、移動局装置５０からのデータ等（パケット）の識別等を行う。
【００３８】
伝送路インタフェース制御部３５は、基地局装置１０との間の伝送路の回線制御を実行する。例えば、伝送路インタフェース制御部３５は、Ｓ１インタフェースの回線制御を実行する。
【００３９】
図４は移動局装置５０の構成例を示す図である。移動局装置５０は、アンテナ５１と、ＲＦ（Radio Frequency）部５２と、ベースバンド処理部５３と、スピーカ＆マイク部（以下、スピーカ部）５４と、制御部５５とを備える。
【００４０】
アンテナ５１は、無線信号を基地局装置１０に送信し、基地局装置１０から送信された無線信号を受信する。
【００４１】
ＲＦ部５２は、分配部５２１と、受信部５２２と、Ａ／Ｄ変換部５２３と、送信部５２４と、増幅部５２５と、周波数シンセサイザ部５２６とを備える。
【００４２】
分配部５２１は、無線信号を分配し、例えば、増幅部５２５から出力された無線信号をアンテナ５１に出力し、アンテナ５１で受信した無線信号を受信部５２２に出力する。
【００４３】
受信部５２２は、分配部５２１から出力された無線信号に各種処理を行い、Ａ／Ｄ変換部５２３に出力する。
【００４４】
Ａ／Ｄ変換部５２３は、受信部５２２からからの出力をデジタルデータに変換してベースバンド処理部５３に出力する。また、Ａ／Ｄ変換部５２３は、ベースバンド処理部５３から出力されたデータ等をアナログデータに変換して送信部５２４に出力する。
【００４５】
送信部５２４は、周波数シンセサイザ部５２６からの発振周波数に対応する周波数となるように、Ａ／Ｄ変換部５２３から出力されたデジタル信号の周波数の変換等を行い、無線信号として増幅部５２５に出力する。
【００４６】
増幅部５２５は、送信部５２４からの無線信号と、ベースバンド処理部５３からの出力とを増幅し、分配部５２１に出力する。
【００４７】
ベースバンド処理部５３は、Ｌ１モデム部＆チャネルコーデック部（以下、Ｌ１モデム部）５３１と、ベースバンド部＆ＲＦ制御部（以下、ベースバンド部）５３２と、オーディオインタフェース部５３３とを備える。
【００４８】
Ｌ１モデム部５３１は、レイヤ１モデムの機能を有し、例えば、Ａ／Ｄ変換部５２３からのユーザデータに対して復号処理を行いベースバンド部５３２に出力する。また、Ｌ１モデム部５３１は、ＢＣＣＨを利用して基地局装置１０から送信された報知情報をＡ／Ｄ変換部５２３の出力から取り出して、制御部５５に出力する。
【００４９】
ベースバンド部５３２は、Ｌ１モデム部５３１から出力された出力データ等に対して、復調処理等の各種処理を行い、処理後のデータを他の処理部に出力する。また、ベースバンド部５３２は、オーディオインタフェース部５３３等から出力されたユーザデータに対して変調処理等を行い、増幅部５２５に出力する。
【００５０】
オーディオインタフェース部５３３は、スピーカ部５４との間のインタフェースである。オーディオインタフェース部５３３は、例えば、スピーカ部５４からの音声データをベースバンド部５３２に出力し、ベースバンド部５３２から出力された音声データをスピーカ部５４に出力する。
【００５１】
スピーカ部５４は音声データに基づいて音声を出力し、音声を入力して音声データを出力する。
【００５２】
制御部５５は、ＲＦ部５２の各部５２１等と、ベースバンド処理部５３の各部５３１等を制御する。制御部５５は、無線チャネルの管理、品質管理等を行い、例えば基地局装置１０から送信された周波数結合情報を含む報知情報をＬ１モデム部５３１から入力し、周波数結合情報、割り当てられた周波数帯域等に基づいて品質測定等を行う。
【００５３】
次に無線通信システム１００における動作例について説明する。図５は無線通信システム１００のシーケンス例を示す図である。保守装置４０は、周波数結合要求を移動局管理ノード３０に送信する（Ｓ１０）。
【００５４】
一方、基地局装置１０は、回線のセットアップ要求メッセージ（Ｒ１  Ｓｅｔｕｐ  Ｒｅｑｕｅｓｔ）を移動局管理ノード３０に送信する（Ｓ１１）。例えば、基地局装置１０の呼処理制御部１５４は、当該セットアップ要求メッセージを生成し、伝送路インタフェース部１５３を介して移動局管理ノード３０に送信する。
【００５５】
移動局管理ノード３０は、周波数結合要求を受信し、回線セットアップ要求メッセージを受信すると、回線セットアップ要求に対する応答メッセージ（Ｓ１  Ｓｅｔｕｐ  Ｒｅｓｐｏｎｓｅ）を生成し、基地局装置１０に送信する（Ｓ１２）。例えば、移動局管理ノード３０の呼処理制御部３４は、伝送路インタフェース制御部３５を介して保守装置４０から周波数結合要求、基地局装置１０からセットアップ要求メッセージをそれぞれ受信する。そして、呼処理制御部３４は、セットアップ要求メッセージに対する応答メッセージを生成して、伝送路インタフェース制御部３５を介して基地局装置１０に送信する。
【００５６】
このとき、移動局管理ノード３０は、周波数結合指示を含む応答メッセージを生成する。例えば、呼処理制御部３４が、周波数結合要求と回線セットアップ要求メッセージとを受信すると、周波数結合指示を含む応答メッセージを生成する。
【００５７】
基地局装置１０は、周波数結合指示を含む応答メッセージを受信すると、報知情報（ＢＣＣＨ）の設定を行う（Ｓ１３）。例えば、呼処理制御部１５４は、伝送路インタフェース部１５３を介して移動局管理ノード３０から応答メッセージを受信すると、報知情報としてどのような情報を送信するかを決定する。例えば、呼処理制御部１５４は、自基地局装置１０の位置情報、隣接基地局に関する情報などを報知情報に含めることを決定する。
【００５８】
次いで、基地局装置１０は、報知情報に含まれるシステム情報の設定を行う（Ｓ１４）。例えば、基地局装置１０の呼処理制御部１５４は、システム情報として、例えば、基地局装置１０の識別情報、隣接基地局装置の識別情報等を生成する。このとき、例えば、呼処理制御部１５４は、応答メッセージに含まれる周波数結合指示に基づいて、周波数結合情報を生成する。
【００５９】
図６は周波数結合情報の例を示す図である。同図に示すように、周波数結合情報には、「周波数結合ＯＮまたはＯＦＦフラグ」、「周波数結合数」等の各種パラメータを含む。このうち、「周波数情報」から「品質情報フィードバック機能ＯＮまたはＯＦＦ」までのパラメータは、周波数結合数分、繰り返されることになる。
【００６０】
基地局装置１０は、分割された複数の帯域幅の周波数帯域が割り当てられた場合、分割された各周波数帯域を論理的または仮想的に結合し、１本の周波数帯域として、当該周波数帯域に共通制御チャネル（または共通チャネル）のための周波数帯域を１つ割り当てる。周波数結合情報は、結合された各周波数帯域に関する情報と共通制御チャネルに関する情報等を含む。
【００６１】
図６において、「周波数結合ＯＮまたはＯＦＦフラグ」は、周波数結合有りまたは無し示すフラグであり、例えば、「１」のとき周波数結合有り、「０」のとき周波数結合無しを示す。
【００６２】
「周波数結合数」は、周波数結合する場合の結合数を示す。
【００６３】
「周波数情報」は、結合された各周波数について、周波数帯（１ＧＨｚ帯や２ＧＨｚ帯など）のうちどの周波数帯に属するかをコードにより示す周波数コードと、周波数帯の中心周波数を示す中心周波数情報とを含む。
【００６４】
「周波数の帯域幅」は、結合された各周波数帯域の帯域幅（例えば、５，１０，１５ＭＨｚなど）を示す。
【００６５】
「共通チャネル設定ＯＮまたはＯＦＦフラグ」は、結合された各周波数において、共通制御チャネルが設定されているか否かのフラグである。例えば、当該フラグが「０」のとき、結合された周波数帯域内に共通制御チャネルが設定されておらず（ＯＦＦ）、「１」のとき設定されること（ＯＮ）を示す。
【００６６】
「品質情報フィードバック機能ＯＮまたはＯＦＦフラグ」は、結合された各周波数において移動局装置５０が品質情報を測定し基地局装置１０にフィードバックするか否かを示すフラグである。例えば、当該フラグが「０」のとき、フィードバックしないこと（ＯＦＦ）を示し、「１」のときフィードバックする（ＯＮ）ことを示す。
【００６７】
図７は周波数結合情報により結合された周波数帯域の例を示す図である。図７は、分割された４つの周波数帯域（Ｆ１〜Ｆ４）が論理的または仮想的に結合され、周波数帯域Ｆ３に共通制御チャネルが設定される例を示す。
【００６８】
図７の例では、周波数結合情報（例えば図６に示された）は例えば以下のようになる。周波数結合フラグはＯＮ（例えば「１」）、周波数結合数は「４」、周波数Ｆ１については２ＧＨｚ帯に属することを示す周波数コードと２ＧＨｚ帯の中心周波数情報、帯域幅は「１０ＭＨｚ」、共通チャネル設定はＯＦＦ（例えば「０」）となる。また、周波数Ｆ３については、１ＧＨｚ帯の周波数コードとその中心周波数、帯域幅は「１０ＭＨｚ」、共通チャネル設定はＯＮ（例えば「１」）となる。
【００６９】
一般に、低周波数帯域の方が高周波数帯域に比べ、周波数成分の劣化に伴う減衰量が少ないため、共通に割り当てられる共通制御チャネルは、低周波数帯域に割り当てられることが望ましい。例えば、図７の例では、周波数帯域Ｆ４が周波数帯域Ｆ３よりも低周波数帯域の場合、共通制御チャネルは周波数帯域Ｆ４に割り当てられることが望ましい。勿論、事業者のシステム設定、例えば周波数の配置設計などにより、共通制御チャネルは高周波数帯域に割り当てられてもよい。
【００７０】
例えば、基地局装置１０の呼処理制御部１５４が周波数結合情報を生成する。呼処理制御部１５４は、例えば、基地局装置１０に割り当てられた周波数帯域に関する情報を記憶し、本処理の際に読み出して、周波数結合情報を生成することができる。そして、例えば、呼処理制御部１５４は、周波数結合情報を含む報知情報を生成する。
【００７１】
基地局装置１０は、周波数結合情報を含む報知情報を生成すると（Ｓ１４）、ＲＡＣＨ（Random Access CHannel）など、ＢＣＣＨ以外の共通チャネルの設定を行う（Ｓ１５）。例えば、基地局装置１０の呼処理制御部１５４が共通チャネルの設定を行う。
【００７２】
次いで、基地局装置１０は、報知情報等の送信を開始する（Ｓ１６）。例えば、呼処理制御部１５４は、周波数結合情報を含む報知情報をベースバンド処理部１５２に出力する。そして、ベースバンド処理部１５２は、周波数結合情報に基づいて、共通制御チャネルが割り当てられた帯域に報知情報をマッピングする。その後、ベースバンド処理部１５２は、報知情報を変調等し、インタフェース部１５１等を介して移動局装置５０に送信する。
【００７３】
ここで、基地局装置１０は、結合された各周波数帯域のそれぞれにおいて送信電力量を一定にして、報知情報、さらにユーザデータ等を送信することもできる。ただし、基地局装置１０は、各周波数帯域内の周波数特性を考慮して、結合された各周波数帯において異なる送信電力量でデータ等を送信してもよい。この場合、基地局装置１０は、結合された周波数帯域ごとに送信電力量を指定し、当該送信電力量で送信データ等を送信することができる。
【００７４】
図８は送信電力値の例を示し、基準となる周波数（又は周波数帯域）の送信電力量を基準値とし、他の周波数の送信電力量を基準値に対するオフセット値（相対値）で指定する例である。図８の例では、周波数１の送信電力量を基準値とし、周波数２は周波数１と同一周波数帯域（２ＧＨｚ帯、１ＧＨｚ帯など）のためオフセット値は「０」、周波数３，４の送信電力量は「−３ｄＢ」となっている。
【００７５】
また、図９は各周波数の送信電力量が絶対値で指定される例を示す。周波数１，２の送信電力量は「３０ｄＢｍ」、周波数３，４は「２７ｄＢｍ」となっている。
【００７６】
例えば、基地局装置１０の呼制御処理部１５４は、基地局装置１０に割り当てられた周波数帯域に関する情報に基づいて、分割された周波数帯域ごとに、絶対値または相対値により送信電力量に関する情報を生成するようにしてもよい。呼処理制御部１５４は、相対値により生成する場合、基準となる周波数帯域の送信電力量を決定し、他の帯域の送信電力量を基準値からの差分により指定できる。なお、呼処理制御部１５４は、生成した送信電力量に関する情報を周波数結合情報（例えば、図６）に含めるようにしてもよい。送信電力量に関する情報は、ベースバンド処理部１５２を介して無線送受信部１４２に出力され、無線送受信部１４２にて送信電力量に基づく送信制御が行われる。送信増幅器１４１または屋外送受信増幅器１２で送信電力量に関する情報に基づいて送信制御が行われてもよい。
【００７７】
次に移動局装置５０の動作について説明する。図１０は移動局装置５０の動作例を示すフローチャートである。
【００７８】
移動局装置５０は電源をオンにすると（Ｓ２０）、電源オフ前の移動局装置５０内部のセル情報（または基地局情報）をチェックする（Ｓ２１）。例えば、移動局装置５０の制御部５５は電源オンを検知すると、制御部５５内のメモリに保持したセル情報を読み出す。
【００７９】
次いで、移動局装置５０はセル情報があれば（Ｓ２２でＹ）、電源オフ前のセル情報に基づいてセルサーチを行う（Ｓ２３）。例えば、制御部５５がセルサーチを行う。
【００８０】
次いで、移動局装置５０は、セル情報に基づいて、各基地局装置１０から送信されたパイロット信号（または既知信号）等を受信し、受信レベルを測定して、足切りレベル（閾値）以上のセル（または基地局装置）を検出する（Ｓ２４）。例えば、制御部５５が受信レベルの測定、セルの検出等を行う。
【００８１】
移動局装置５０は、足切りレベル以上のセルを検出した場合（Ｓ２４でＹ）、足切りレベル以上のセルの中から最も高いレベルのセルを選択し、選択したセルから報知情報を受信する（Ｓ２５）。例えば、制御部５５は、最も高いレベルのセルを選択し、選択したセルからの報知情報を受信するように分配部５２１、受信部５２２等を制御する。
【００８２】
次いで、移動局装置５０は、初期セル（Initial Cell）の選択を完了し（Ｓ２６）、受信した報知情報に含まれる周波数結合情報に基づいて、周波数結合されているか否かを判断する（Ｓ３０）。例えば、Ｌ１モデム部５３１が受信信号から報知情報を取り出して制御部５５に出力し、制御部５５は、周波数結合情報の周波数結合ＯＮまたはＯＦＦフラグが「ＯＮ」になっているか否かをチェックする。
【００８３】
移動局装置５０は、周波数結合されている場合（Ｓ３０でＹ）、周波数結合情報に含まれる各パラメータを読み出し、基地局装置１０の結合された各周波数帯域の帯域幅、総周波数帯域幅等を確認する（Ｓ３１）。例えば、制御部５５は、周波数結合ＯＮまたはＯＦＦフラグが「ＯＮ」の場合、周波数結合情報の他のパラメータに基づいて、各周波数帯域の帯域幅、総周波数帯域の帯域幅等を確認する。
【００８４】
次いで、移動局装置５０は、共通制御チャネルの存在する帯域において、制御信号等の待ち受け処理を行う（Ｓ３２）。例えば、制御部５５は、周波数結合情報に基づいて、共通制御チャネルの帯域を確認し、当該帯域において待ち受け処理が行わるように、分配部５２１、受信部５２２等を制御する。
【００８５】
一方、移動局装置５０は、電源オン後に電源オフ前のセル情報がない場合（Ｓ２２でＮ）、初期セルサーチを実行する（Ｓ２７）。例えば、制御部５５が初期セルサーチを実行する。
【００８６】
次いで、移動局装置５０は、初期セルサーチにより検出した各基地局装置１０からのパイロット信号等の受信レベルを検出し、足切りレベル以上のものがあるか否かを判断する（Ｓ２８）。
【００８７】
そして、足切りレベル以上の基地局装置１０を検出した場合（Ｓ２８でＹ）、足切りレベル以上のセルの中から最も受信レベルの高いセルを選択し、当該セルからの報知情報を受信する（Ｓ２９）。そして、処理はＳ２６に移行する。
【００８８】
また、移動局装置５０は、足切りレベル以上の基地局装置１０を検出できなかった場合（Ｓ２８でＮ）、再びＳ２７の処理を実行する。Ｓ２７からＳ２９の処理は、例えば制御部５５で行われる。
【００８９】
さらに、移動局装置５０は、足切りレベル以上のセルを検出できない場合（Ｓ２４でＮ）、Ｓ２７の処理に移行する。
【００９０】
さらに、移動局装置５０は、周波数結合がなされていない場合（Ｓ３０でＮ）、分割されたそれぞれの帯域で通常の待ち受け処理を行う（Ｓ３３）。例えば、制御部５５は、周波数結合情報の周波数ＯＮまたはＯＦＦフラグが「ＯＦＦ」の場合、分割されたそれぞれの帯域で通常の待ち受け処理が行われるように分配部５２１、受信部５２２等を制御する。
【００９１】
このように、移動局装置５０は、基地局装置１０から周波数結合情報を含む報知情報を受信し、周波数結合情報に基づいて、ユーザチャネル（または共有チャネル）の周波数領域と共通チャネルの周波数領域を確認することができる。
【００９２】
次に移動局装置５０で行われる品質測定について説明する。上述したように、周波数結合情報には、結合された周波数帯域ごとに、品質情報フィードバック機能ＯＮまたはＯＦＦフラグが含まれる。例えば、移動局装置５０は、移動局装置５０に割り当てられた周波数帯域のうち、周波数結合情報の当該フラグがＯＮの周波数帯域において通信品質を測定することもできる。移動局装置５０は、測定した通信品質を品質情報として基地局装置１０に送信する。
【００９３】
一方、基地局装置１０は、受信した品質情報に基づいて、移動局装置５０に対する無線リソースの割り当て、さらに送信電力量の制御等を行うことができる。
【００９４】
図１１は品質情報の例を示す図である。品質情報は、「周波数結合情報数」と、結合された各周波数の「周波数情報」と、「品質情報」の各パラメータを含む。
【００９５】
「周波数結合情報数」は、結合された周波数帯域の数を示す。
【００９６】
「周波数情報」は、結合された各周波数帯域の属する周波数帯（１ＧＨｚ帯、２ＧＨｚ帯）の周波数コードを示す。
【００９７】
「品質情報」は、移動局装置５０で測定された品質情報であり、例えばＣＱＩ値を示す。
【００９８】
基地局装置１０は、報告された品質情報に基づいて各種無線リソースの割り当て等を実行できる。図１２は割り当て例を示すテーブルの例を示す図である。例えば、基地局装置１０の呼処理制御部１５４またはベースバンド処理部１５２などで当該テーブルが保持される。
【００９９】
図１２に示すテーブルは、フィードバックされたＣＱＩ値と、結合された周波数帯域の数と、ユーザデータ等を含むトランスポートブロックのブロックサイズ（ビット数）と、各トランスポートブロックに対する割り当てチャネル数と、変調方式と、送信電力の調整値とを含む。
【０１００】
例えば、ＣＱＩ値が「０」で、周波数結合数が「２」のとき、トランスポートブロックは割り当てられず、サービス外（ｏｕｔ  ｏｆ  ｒａｎｇｅ）としてチャネル数等の割り当てが行われない。また、ＣＱＩ値が「３」で、周波数結合数が「５」のとき、トランスポートブロックのユーザビットは「２３３」ビット、当該ブロックに「１」チャネルが割り当てられ、変調方式は「ＱＰＳＫ」となる。
【０１０１】
なお、図１２に示す例は、１つのＣＱＩ値に対して周波数結合数がどのような場合でも同じブロックサイズ等を示しているが、例えば、１つのＣＱＩ値に対して、周波数結合数が「１」の場合と「２」の場合とで異なるブロックサイズ数等が割り当てられるようにしてもよい。
【０１０２】
図１３は品質報告のシーケンス例を示す図である。基地局装置１０は、周波数結合情報を移動局装置５０に報知する（Ｓ４０）。
【０１０３】
次いで、基地局装置１０と移動局装置５０は、互いにデータ等を送受信することで呼を確立する（Ｓ４１）。
【０１０４】
次いで、基地局装置１０は、ＤＬ方向のチャネルリソースの割り当てを行い、割り当て情報を送信する（Ｓ４２）。例えば、基地局装置１０の呼処理制御部１５４と、移動局装置５０の制御部５５は呼確立のための処理を行う。呼が確立された後、呼処理制御部１５４は、移動局装置５０にユーザデータ等を送信するためのチャネルリソースの割り当てを行い、割り当て情報を生成して、ベースバンド処理部１５２等を介して移動局装置５０に送信する。
【０１０５】
次いで、移動局装置５０は割り当てリソースの品質を測定する（Ｓ４３）。例えば、移動局装置５０の制御部５５は、割り当て情報をＬ１モデム部５３１またはベースバンド部５３２から入力し、割り当てられた周波数帯域において通信品質を測定する。割り当てられた周波数帯域は、例えば図７のＦ１〜Ｆ４など、結合された全周波数帯域中に含まれるものである。例えば、制御部５５は、割り当てられた周波数帯域の中で、周波数結合情報の品質フィードバック情報がＯＮとなっている帯域の品質を測定する。品質の測定と品質情報（例えば図１１）は、例えば制御部５５で行われる。
【０１０６】
次いで、移動局装置５０は測定した品質情報を基地局装置１０に送信する（Ｓ４４）。例えば、制御部５５は測定した品質情報をベースバンド部５３２に出力し、増幅部５２５等を介して基地局装置１０に送信する。
【０１０７】
その後、基地局装置１０は、品質情報に基づいて、各種リソースを移動局装置５０に割り当てる（例えば図１２）。また、呼処理制御部１５４は、周波数帯域Ｆ１の通信品質が閾値よりも低いとき、周波数帯域Ｆ２に変更することもできる。柔軟なリソース割り当てが実現できる。
【０１０８】
なお、移動局装置５０は、通信品質を測定する場合、結合された各周波数帯域の通信品質を測定するのではなく、各周波数帯域の属する周波数帯（１ＧＨｚ帯、２ＧＨｚ帯など）ごとに通信品質を測定してもよい。この場合、移動局装置５０は測定した通信品質を代表通信品質とし、通信品質情報として基地局装置１０に送信するようにしてもよい。
【０１０９】
次に、ＭＶＮＯが実行される際の動作例について説明する。ＭＶＮＯサービスにおいて、システム貸し出し側の事業者は、自基地局装置１０に割り当てられた周波数帯域のうち一部をシステム借用側の事業者に貸し出すことが行われる。このような場合、貸し出し側と借用側のそれぞれの帯域において共通制御チャネルのための帯域が割り当てられることが望ましい。以下では、かかる場合の例で説明する。
【０１１０】
ＭＶＮＯサービスが提供される移動局装置５０と、そうでない（自サービスを提供する）移動局装置５０は、移動局装置５０のユーザ識別情報（またはユーザＩＤ（識別子））により識別できる。ＩＤは、例えばＩＭＳI（International Mobile Subscriber
Identity：加入者識別子）、ＴＭＳＩ（Temporally Mobile Subscriber
Identify）、ＲＮＴＩ（Radio Network Temporary Identifier）などがある。
【０１１１】
図１４はユーザＩＤの例を示す図である。例えば、同図に示すように、ユーザＩＤが「２」のときＭＶＮＯユーザを示し、それ以外のときＭＶＮＯ以外のユーザであることを示す。例えば、呼確立の際（図１３のＳ４１）、移動局装置５０は基地局装置１０にかかるユーザＩＤを送信することで、基地局装置１０はＭＶＮＯサービスが行われる移動局装置５０か否かを識別できる。
【０１１２】
次に、ＭＶＮＯが実施される際のリソース割り当ての動作例について説明する。図１５（Ａ）は移動局装置５０、同図（Ｂ）は基地局装置１０の各動作例を示すフローチャートである。
【０１１３】
移動局装置５０は、電源オン後（Ｓ２０）、周辺基地局の周波数を検索し（Ｓ５０）、第１優先基地局装置からの電波を捕捉すると（Ｓ５１でＹ）、報知情報を受信したか否かを判断する（Ｓ２５（Ｓ２９））。
【０１１４】
一方、移動局装置５０は、第１優先基地局装置からの電波を捕捉できない場合（Ｓ５１でＮ）、次優先基地局装置の電波を捕捉し（Ｓ５２）、次優先基地局装置から報知情報を受信したか否かを判断する（Ｓ２５（Ｓ２９））。なお、Ｓ５０〜Ｓ５２の処理は、図１０のＳ２１〜Ｓ２４、Ｓ２７〜Ｓ２８等の処理と同様である。以降の処理も図１０と同様であり説明を割愛する。
【０１１５】
一方、基地局装置１０は、セル設定を行い（Ｓ６０）、複数周波数設定要求が有るか否かを判別する（Ｓ６１）。例えば、基地局装置１０の呼処理制御部１５４は、移動局管理ノード３０から、周波数結合要求を受信したか否かで判別する。
【０１１６】
基地局装置１０は、複数周波数の設定要求がない場合（Ｓ６１でＮ）、通常セルのセットアップ処理を行う（Ｓ６２）。例えば、基地局装置１０は、複数帯域幅の周波数帯域が割り当てられても、各帯域において共通制御チャネルを設定する等の処理を行う。
【０１１７】
一方、基地局装置１０は、複数周波数の設定要求が有る場合（Ｓ６１でＹ）、一括設定する（結合する）周波数帯域を確認し、共通制御チャネルの割り当て帯域を決定する（Ｓ６３，Ｓ６４）。例えば、呼処理制御部１５４は、呼処理制御部１５４内のメモリなどに記憶された、当該基地局装置１０に割り当てられた周波数帯域を読み出して、帯域数及び結合する周波数帯域等を確認し、共通制御チャネルの割り当て帯域を決定する。例えば、呼処理制御部１５４は、周波数帯域Ｆ１〜Ｆ４を論理的または仮想的に結合し、共通制御チャネルの帯域を周波数帯域Ｆ３の一部に割り当てる（図７参照）。
【０１１８】
次いで、基地局装置１０は、ＭＶＮＯ要求が有るか否かを判別する（Ｓ６５）。例えば、呼処理制御部１５４は、移動局管理ノード３０または保守装置４０からＭＶＮＯ要求を受信したか否かで判別できる。
【０１１９】
基地局装置１０は、ＭＶＮＯ要求有りの場合（Ｓ６５でＹ）、共通制御チャネルの割り当て帯域を決定する（Ｓ６６）。例えば、呼処理制御部１５４が割り当て帯域を決定する。
【０１２０】
ＭＶＮＯが実施される場合、例えば、システム貸し出し側の事業者はシステム借用側の事業者に割り当てられた周波数帯域の一部を貸し出す。このとき、システム借用側の事業者は貸し出された周波数帯域において共通制御チャネルのための帯域を設定する。上述した例では、周波数帯域Ｆ１〜Ｆ４が結合され、さらに、結合された周波数帯域Ｆ１〜Ｆ２が貸し出され、当該帯域Ｆ１〜Ｆ２の一部に共通制御チャネルが設定される。
【０１２１】
一方、基地局装置１０は、ＭＶＮＯ要求がない場合（Ｓ６５でＮ）、Ｓ６６の処理を行うことなくＳ６７の処理に移行する。ＮＶＮＯ要求がない場合、結合された周波数帯域のうち一部が貸し出されることは行われないためである。
【０１２２】
基地局装置１０は、共通制御チャネルの割り当てを決定（Ｓ６６）した後、またはＮＶＮＯ要求がない場合（Ｓ６５でＮ）、報知情報を生成し（Ｓ６７）、共通制御チャネルによる報知情報等の送信を開始する（Ｓ６８）。例えば、呼処理制御部１５４は、結合した周波数帯域（Ｓ６３）、及び共通制御チャネルの帯域（Ｓ６４，Ｓ６６）等に基づいて、周波数結合情報を生成し、当該情報を含む報知情報を生成する。なお、移動局装置５０は報知情報を受信するとＳ２５以降の処理を行う。
【０１２３】
次いで、基地局装置１０はアイドル状態に移行する（Ｓ６９）。
【０１２４】
一方、移動局装置５０は、発信を行う場合、発信要求を基地局装置１０に送信する（図１６（Ａ）のＳ５３）。例えば、移動局装置５０の制御部５５が発信要求を生成し、ＲＦ部５２に送信を指示することで、発信要求が送信される。
【０１２５】
基地局装置１０は、発信要求を受信すると（Ｓ７０）、セル設定を行い（Ｓ７０）、移動局装置５０からユーザ識別信号を受信する（Ｓ７１）。例えば、移動局装置５０の制御部５５は、ＭＶＮＯユーザまたは自サービスユーザであることを示すユーザＩＤ（例えば、図１４参照）を生成し、ベースバンド部５３１に出力する。ユーザＩＤはベースバンド部５３１から増幅部５２５等を介して基地局装置１０に送信される。基地局装置１０は、ユーザＩＤを受信し、例えば、無線部１４等を介して呼処理制御部１５４にユーザＩＤを出力する。
【０１２６】
次いで、基地局装置１０は、受信したユーザＩＤに基づいて自サービスまたはＭＶＮＯユーザの識別を行う（Ｓ７２）。例えば、呼処理制御部１５４は、ユーザＩＤに含まれるユーザ識別情報が「２」のとき、移動局装置５０はＭＶＮＯユーザであることを識別し、それ以外のとき自サービスユーザであることを識別する。
【０１２７】
次いで、基地局装置１０は、識別結果に基づいて、移動局装置５０に対する割り当て周波数帯域を決定し（Ｓ７３）、割り当て周波数帯域を含むリソース情報を送信する（Ｓ７４）。割り当て周波数帯域は、自サービスユーザの場合、例えばＳ６３で決定した周波数帯域のうち一部が用いられる。また、ＭＶＮＯユーザの場合、割り当て周波数は、Ｓ６６の処理の際に決定した貸し出し側または借用側の周波数帯域の一部が用いられる。例えば、呼処理制御部１５４が割り当て周波数を決定し、リソース情報を生成する。生成されたリソース情報は、ベースバンド処理部１５２等を介して移動局装置５０に送信される。
【０１２８】
次いで、基地局装置１０は、割り当て周波数を用いて、ユーザデータ等の送信または受信など、通常の発信処理を行う（Ｓ７５）。
【０１２９】
一方、移動局装置５０は、リソース情報を受信して、リソース情報から割り当て周波数帯域の情報を取り出す（Ｓ５４）。例えば、制御部５５は、Ｌ１モデム部５３１またはベースバンド部５３２からリソース情報を入力し、当該帯域の情報を取り出す。
【０１３０】
次いで、移動局装置５０は割り当てられた周波数帯域を用いて、ユーザデータ等の送信または受信等、通常の発信処理を行う（Ｓ５５）。
【０１３１】
以上説明したように、基地局装置１０は、分割された複数の帯域幅の周波数帯域を仮想的または論理的に結合し、結合した帯域の中で共通制御チャネルの帯域を１つ割り当てる（図５のＳ１４、図６など）。従って、共通資源として活用できる帯域は共通利用するようにしているため、分割した各周波数帯域にそれぞれ共通制御チャネルが割り当てられる場合と比較して、ユーザデータの送信または受信に利用される周波数帯域を広げることができる。よって、本無線通信システム１００は、ユーザデータを送信または受信するための周波数帯域の最大化を図ることができる。
【０１３２】
また、ＭＶＮＯ要求があっても（Ｓ６５でＹ）、結合した周波数帯域に対して、システム貸し出し側の事業者とシステム借用側の事業者それぞれに周波数帯域が分割される。そして、各事業者の周波数帯域に共通制御チャネルのための周波数帯域が例えば１つ（２つ、３つ等複数でもよい）割り当てられる（Ｓ６６）。事業者ごとに共通制御チャネルが割り当てられるため、各事業者に複数の周波数帯域が割り当てられて各帯域に共通制御チャネルが割り当てられる場合と比較して、ユーザデータのための周波数帯域をより多く確保できる。よって、本無線通信システム１００は、ＭＶＮＯサービスの場合でも、ユーザデータのための周波数帯域を最大化できる。
【０１３３】
さらに、システム内にて、ＭＶＮＯ要求がある場合も無い場合でも、結合した周波数帯域に対して、システム内の結合用周波数それぞれの周波数帯域に１つ（複数でもよい）共通制御チャネルのための周波数帯域が割り当てられることも可能とする事ができる。従って、事業者によって、共通制御チャネルの負荷が高い場合などに対して共通制御チャネルを結合対象の複数の帯域に割り当てることも可能とする事ができる。よって、各事業者のサービス目的やトラフィック状況に応じて、柔軟に帯域割り当てを実施する事ができる。
【０１３４】
さらに、各事業者は、ユーザデータを送受信するトラフィックが予想よりも上昇した場合、ユーザデータの周波数帯域の最大化が図られているため自事業内のユーザに十分なサービスを提供できる。
【０１３５】
さらに、移動局装置５０は、結合された周波数帯域の各周波数帯域または各周波数帯域の属する各周波数帯について、通信品質を基地局装置１０に報告する。基地局装置１０は各周波数帯域等の通信品質に基づいて、移動局装置５０に周波数帯域などの各種リソースを割り当てることができる。よって、本無線通信システム１００は、柔軟なリソース割り当てを実現できる。
【０１３６】
次に他の実施例について説明する。
【０１３７】
上述した例において、基地局装置１０の呼処理制御部１５４が周波数結合情報（例えば、図６）を生成するものとして説明した。例えば、基地局装置１０のベースバンド処理部１５２が生成するようにしてもよい。例えば、呼処理制御部１５４は、移動局管理ノード３０から周波数結合指示を含むメッセージを受信すると、ベースバンド処理部１５２に周波数結合情報生成の指示を出力する。ベースバンド処理部１５２は周波数結合情報生成の指示を受けると、当該情報を生成する。
【０１３８】
また、周波数結合情報は、上位装置、例えば移動局管理ノード３０が生成するようにしてもよい。例えば、移動局管理ノード３０は、保守装置４０から周波数結合要求を受信し（Ｓ１０）、基地局装置１０から回線セットアップの要求メッセージを受信する（Ｓ１１）と、周波数結合情報を生成する。移動局管理ノード３０は、回線セットアップの応答メッセージ内に周波数結合情報を含めるようにすることもできる。例えば、移動局管理ノード３０の呼処理制御部３４、または共通制御部３３などが周波数結合情報を生成する。呼処理制御部３４が生成する場合、保守装置４０と基地局装置１０からの要求やメッセージは、伝送路インタフェース制御部３５を介して呼処理制御部３４に入力される。呼処理制御部３４は、基地局装置１０に割り当てられた周波数帯域に関する情報を保持し、結合要求等を受信したときに、当該情報に基づいて周波数結合情報を生成する。
【０１３９】
さらに、周波数結合情報は、上位装置、例えば保守装置４０が生成するようにしてもよい。保守装置４０は、周波数結合要求を移動局管理ノード３０に送信するときに、周波数結合情報を生成して、当該情報を周波数結合要求に含めるようにすればよい。
【０１４０】
また、上述した例において、共通制御チャネルの周波数帯域の割り当ては、基地局装置１０の呼処理制御部１５４が行うものとして説明した。例えば、ベースバンド処理部１５２が共有制御チャネルの周波数帯域の割り当てを行うようにしてもよい。この場合、例えば、呼処理制御部１５４は周波数結合情報を出力し、ベースバンド処理部１５２は当該情報に基づいて周波数帯域の割り当てを行うことができる。
【０１４１】
さらに、上述した例において、ＭＶＮＯサービスを実施する場合、システム借用側の事業者は一人の場合で説明した。例えば、借用側の事業者が複数存在してもよく、この場合、結合された周波数帯域を借用側の事業者分だけ分割し、分割された各周波数帯域に共通チャネルが割り当てられる。
【符号の説明】
【０１４２】
１０（１０‐１，１０‐２）：基地局装置（ｅＮＢ）
１２：屋外送受信増幅器                １３：屋外受信増幅器
１４：無線部（ＲＥ）                  １４１：送信増幅器
１４２：無線送受信部                  １４３：インタフェース部
１５：無線制御部（ＲＥＣ）            １５１：インタフェース部
１５２：ベースバンド処理部            １５３：伝送路インタフェース部
１５４：呼処理制御部                  ３０：移動局管理ノード（ＭＭＥ）
３３：共通制御部                      ３４：呼処理制御部
３５：伝送路インタフェース制御部      ４０：保守装置（ＯＰＥ）
５０：移動局装置                      ５２：ＲＦ部
５３：ベースバンド処理部              
５３１：Ｌ１モデム部（Ｌ１モデム部＆チャネルコーデック部）
５３２：ベースバンド部（ベースバンド部＆ＲＦ制御部）
５５：制御部
【図１】
2010134133.tif 000003
【図２】
2010134133.tif 000004
【図３】
2010134133.tif 000005
【図４】
2010134133.tif 000006
【図５】
2010134133.tif 000007
【図６】
2010134133.tif 000008
【図７】
2010134133.tif 000009
【図８】
2010134133.tif 000010
【図９】
2010134133.tif 000011
【図１０】
2010134133.tif 000012
【図１１】
2010134133.tif 000013
【図１２】
2010134133.tif 000014
【図１３】
2010134133.tif 000015
【図１４】
2010134133.tif 000016
【図１５】
2010134133.tif 000017
【図１６】
2010134133.tif 000018
【図１７】
2010134133.tif 000019
【手続補正書】
【提出日】平成23年8月17日(2011.8.17)
【手続補正１】
【補正対象書類名】特許請求の範囲
【補正対象項目名】全文
【補正方法】変更
【補正の内容】
【特許請求の範囲】
【請求項１】
移動局装置と基地局装置との間で無線通信を行う無線通信システムにおいて、
前記基地局装置は、
複数の分割された帯域幅の各周波数帯域が前記基地局装置に割り当てられ、前記各周波数帯域を結合し、結合した周波数帯域において共通チャネルを送信するための周波数帯域を１つ割り当てる制御部と、
前記割り当てられた周波数帯域で前記共通チャネルを送信する送信部と、
前記移動局装置は、
前記共通チャネルを受信する受信部と
を備えることを特徴とする無線通信システム。
【請求項２】
前記移動局装置は、さらに、
前記共通チャネルを受信したとき前記基地局装置との通信品質を測定する制御部と、
前記測定した通信品質を前記基地局装置に送信する送信部とを備え、
前記基地局装置の前記制御部は、前記移動局装置から受信した前記通信品質に基づいて、前記移動局装置への割り当て周波数帯域を決定することを特徴とする請求項１記載の無線通信システム。
【請求項３】
前記制御部は、前記結合した周波数帯域に関する周波数結合情報を含む報知情報を生成し、
前記送信部は、前記共通チャネルを送信するための周波数帯域により前記報知情報を前記移動局装置に送信する、ことを特徴とする請求項１記載の無線通信システム。
【請求項４】
前記制御部は、前記結合した周波数帯域の各周波数帯域に対して送信電力量を指定し、
前記送信部は、前記指定された送信電力量に基づいて、各周波数帯域により情報またはデータを前記移動局装置に送信する、ことを特徴とする請求項１記載の無線通信システム。
【請求項５】
前記制御部は、ＭＶＮＯサービスを実行する場合、前記結合した周波数帯域を分割し、前記分割された周波数帯域毎に前記共通チャネルを割り当てる、ことを特徴とする請求項１記載の無線通信システム。
【請求項６】
前記移動局装置の制御部は、前記結合した周波数帯域ごとに前記通信品質を測定し、
前記移動局装置の送信部は、前記結合した周波数帯域ごとの前記通信品質を送信することを特徴とする請求項２記載の無線通信システム。
【請求項７】
移動局装置と、
前記移動局装置と無線通信を行う基地局装置と、
前記基地局装置に接続された上位装置とを含む無線通信システムにおいて、
前記上位装置は、
複数の分割された帯域幅の各周波数帯域が前記基地局装置に割り当てられ、前記各周波数帯域を結合し、結合した周波数帯域において共通チャネルを送信するための周波数帯域を１つ割り当て、前記結合した周波数帯域に関する周波数結合情報を生成する制御部と、
前記周波数結合情報を前記基地局装置に送信する送信部と、
前記基地局装置は、
前記周波数結合情報を前記上位装置から受信し、前記周波数結合情報に基づいて、前記共通チャネルを前記移動局装置に送信する送信部を備え、
前記移動局装置は、
前記共通チャネルを受信する受信部と
を備えることを特徴とする無線通信システム。
【請求項８】
移動局装置と無線通信を行う基地局装置において、
複数の分割された帯域幅の各周波数帯域が前記基地局装置に割り当てられ、前記各周波数帯域を結合し、結合した周波数帯域において共通チャネルを送信するための周波数帯域を１つ割り当てる制御部と、
前記割り当てられた周波数帯域で前記共通チャネルを前記移動局装置に送信する送信部と
を備えることを特徴とする基地局装置。
【請求項９】
上位装置と接続され、移動局装置と無線通信を行う基地局装置において、  
複数の分割された帯域幅の各周波数帯域が前記基地局装置に割り当てられ、前記各周波数帯域が結合され、結合された周波数帯域において共通チャネルを送信するための周波数帯域が１つ割り当てられ、前記結合した周波数帯域に関する周波数結合情報を前記上位装置から受信する受信部と、
前記周波数結合情報に基づいて、前記共通チャネルを前記移動局装置に送信する送信部と
を備えることを特徴とする基地局装置。
【請求項１０】
基地局装置と無線通信を行う移動局装置において、
複数の分割された帯域幅の各周波数帯域が前記基地局装置に割り当てられ、前記各周波数帯域が結合され、結合された周波数帯域において共通チャネルを送信するための周波数帯域が１つ割り当てられ、前記割り当てられた周波数帯域で送信された前記共通チャネルを受信する受信部、
を備えることを特徴とする移動局装置。
【請求項１１】
上位装置と接続された基地局装置と無線通信を行う移動局装置において、
複数の分割された帯域幅の各周波数帯域が前記基地局装置に割り当てられ、前記各周波数帯域が結合され、結合された周波数帯域において共通チャネルを送信するための周波数帯域が１つ割り当てられ、前記結合した周波数帯域に関する周波数結合情報を前記上位装置から受信した基地局装置により、前記共通チャネルが送信され、送信された前記共通チャネルを受信する受信部
を備えることを特徴とする移動局装置。
【請求項１２】
移動局装置と基地局装置との間で無線通信を行う無線通信システムにおける無線通信方法であって、
前記基地局装置は、
複数の分割された帯域幅の各周波数帯域が前記基地局装置に割り当てられ、前記各周波数帯域を結合し、結合した周波数帯域において共通チャネルを送信するための周波数帯域を１つ割り当て、
前記割り当てられた周波数帯域で前記共通チャネルを送信し、
前記移動局装置は、
前記共通チャネルを受信する
ことを特徴とする無線通信方法。
【請求項１３】
移動局装置と、前記移動局装置と無線通信を行う基地局装置と、前記基地局装置に接続された上位装置とを含む無線通信システムにおける無線通信方法であって、
前記上位装置は、
複数の分割された帯域幅の各周波数帯域が前記基地局装置に割り当てられ、前記各周波数帯域を結合し、結合した周波数帯域において共通チャネルを送信するための周波数帯域を１つ割り当て、前記結合した周波数帯域に関する周波数結合情報を生成し、
前記周波数結合情報を前記基地局装置に送信し、
前記基地局装置は、
前記周波数結合情報を前記上位装置から受信し、前記周波数結合情報に基づいて、前記共通チャネルを前記移動局装置に送信し、
前記移動局装置は、
前記共通チャネルを受信する
ことを特徴とする無線通信方法。
【国際調査報告】
2010134133.tif 000020
2010134133.tif 000021
2010134133.tif 000022
2010134133.tif 000023